(57)【要約】【課題】設置が容易で短期間に施工でき、費用も安価であると共に水質浄化作用の高い水質浄化方法を提供する。【解決手段】樹脂線状体を絡み合せて所定形状に積層して立体空隙構造体を形成し、該立体空隙構造体の複数を水中に設置すると共に、該水中に設置する一部または全部の立体空隙構造体に好気性微生物群を主成分とする汚染物質浄化剤が収容されていることを特徴とし、これに酸素の供給を併用してもよい。【選択図】　　　　　図１
2004136243.tif 000002
【特許請求の範囲】
【請求項１】
樹脂線状体を絡み合せて所定形状に積層して立体空隙構造体を形成し、該立体空隙構造体の複数を水中に設置すると共に、該水中に設置する一部または全部の立体空隙構造体に好気性微生物群を主成分とする汚染物質浄化剤が収容されていることを特徴とする水質浄化方法。
【請求項２】
樹脂線状体を絡み合せて所定形状に積層して立体空隙構造体を形成し、該立体空隙構造体の複数を水中に設置し、該水中に設置する一部または全部の立体空隙構造体に好気性微生物群を主成分とする汚染物質浄化剤が収容されると共に、少なくとも水中に設置した立体空隙構造体の近傍に酸素を供給することを特徴とする水質浄化方法。
【請求項３】
前記立体空隙構造体は、河川、湖沼および海等における排水、支流または本流が流入する流入口近傍の水中に設置することを特徴とする請求項１または２記載の水質浄化方法。
【請求項４】
前記立体空隙構造体には、重りが固着されていることを特徴とする請求項１乃至３のいずれかに記載の水質浄化方法。
【請求項５】
前記立体空隙構造体は、樹脂線状体を絡み合せて積層し中空部を有する円柱状に形成したことを特徴とする請求項１乃至４のいずれかに記載の水質浄化方法。
【発明の詳細な説明】
【０００１】
【発明の属する技術分野】
この発明は、河川・湖沼・海等の水質浄化方法に関し、特に、好気性微生物群（好気性バクテリア）の活動（分解能力）を利用することによって、汚染物質を分解して水質を浄化する水質浄化方法に関する。
【０００２】
【従来の技術】
従来の水質浄化方法としては、水底の土砂（汚泥物、ヘドロ等）をさらう浚渫が多く行われている。この浚渫は、浚渫設備が大変であるし、水底からさらったヘドロ等の撤去・運搬に費用もかさむと共に、ヘドロ等の廃棄に関し公害問題もあり、捨て場にも難儀する課題がある。
そこで、最近では微生物を利用した水質浄化方法が提案されている。この水質浄化方法は、水中にれき（石）を積み上げ、このれきの間に水を通し、れきに定着した微生物で汚れを分解・浄化する方法（例えば、特許文献１参照）が多い。
【０００３】
【特許文献１】
特許第２８２２３７１号公報（段落番号０００５及び０００６、図４）
【０００４】
【発明が解決しようとする課題】
しかしながら、従来の微生物を利用した水質浄化方法では、微生物の発生・定着は、れきに自然に定着するのをまたなければならないので浄化作用がはじまるまでに期間が必要となるし、また、れきを用意するのも運搬、費用等を考慮すると大変であるし、さらに、れき（石）の積み上げ作業も大変であり、工期も長くかかる課題がある。
この発明は、このような課題に鑑み提案されたものであり、その目的は、設置が容易で短期間にでき、費用も安価であると共に水質浄化作用の高い水質浄化方法の提供にある。
【０００５】
【課題を解決するための手段】
前記課題を解決するため、この発明の水質浄化方法は、樹脂線状体を絡み合せて所定形状に積層して立体空隙構造体を形成し、該立体空隙構造体の複数を水中に設置すると共に、該水中に設置する一部または全部の立体空隙構造体に好気性微生物群を主成分とする汚染物質浄化剤が収容されていることを特徴とする。
これにより立体空隙構造体は、樹脂線状体を絡み合せて所定形状に積層して形成するので安価に容易に製造でき、用意するのも容易であるし、軽量なので運搬および設置も容易である。また、水中に設置した一部または全部の立体空隙構造体には、好気性微生物群を主成分とする汚染物質浄化剤が収容されているので、この汚染物質浄化剤が水中に溶解し、その微生物群は立体空隙構造体、底およびその周辺に定着・増殖する。従って、浄化作用は早期に開始されるし、好気性微生物群は、絡み合っている全ての樹脂線状体の表面に定着・増殖しているので、水との接触面積も広く、かつ、水底およびその周辺に定着・増殖している好気性微生物群と相俟って、効率よく浄化作用が行われる。しかも水底（川底、湖底、海底など）に定着・増殖した好気性微生物群は、水底に堆積した汚泥物やヘドロ等も分解し浄化するので、水質浄化は一層促進される。さらに、ヘドロの処理にも役立つ。
【０００６】
また、この発明の水質浄化方法は、樹脂線状体を絡み合せて所定形状に積層して立体空隙構造体を形成し、該立体空隙構造体の複数を水中に設置し、該水中に設置する一部または全部の立体空隙構造体に好気性微生物群を主成分とする汚染物質浄化剤が収容されると共に、少なくとも水中に設置した立体空隙構造体の近傍に酸素を供給することを特徴とする。
これにより前記作用効果を奏すると共に、この発明では酸素を供給することができるので曝気して水中の汚染ガスを分離して大気に放出して水質浄化が図れると共に、水中での容存酸素量を確保し、微生物群の活動を活発化することができる。
【０００７】
また、この発明の水質浄化方法は、前記立体空隙構造体を、河川、湖沼および海等における排水、支流または本流が流入する流入口近傍の水中に設置することを特徴とする。
これにより汚染した水が流入した直後に浄化することができ、汚染水が河川、湖沼および海等の広範囲に広がるのを防止できる。
【０００８】
また、この発明の水質浄化方法は、前記立体空隙構造体には、重りが固着されていることを特徴とする。
これにより立体空隙構造体は重りで水中に沈下し底に固定でき、他の固定手段が不要となる。
【０００９】
さらに、この発明の水質浄化方法は、前記立体空隙構造体を樹脂線状体を絡み合せて積層し、中空部を有する円柱状に形成したことを特徴とする。
これにより取り扱いが容易となるし、水中への設置も容易となり、また、中空部には汚染物質浄化剤を収容することができる。
【００１０】
【発明の実施の形態】
以下、この発明を図面に示した実施の形態により詳細に説明する。図１はこの発明の第１の実施の形態を示す説明斜視図である。
この図１に示す実施の形態は、好気性微生物群を主成分とする汚染物質浄化剤を収容した立体空隙構造体１の複数を、河川Ｒの水中に設置し、この立体空隙構造体１に収容した汚染物質浄化剤及びこの汚染物質浄化剤により立体空隙構造体１、川底およびその周辺等に定着・繁殖した微生物により汚染物質を分解し水質を浄化する方法にある。
【００１１】
立体空隙構造体１は、樹脂線状体を絡み合せて無数の互に連通する空隙が存在する所定形状に積層して形成したものであり、透水性が高いものである。
図２は立体空隙構造体の実施の形態を示す斜視図、図３は立体空隙構造体の拡大部分斜視図である。この立体空隙構造体１は、同図に示すように樹脂線状体２を絡み合せて中空部３を有する円柱状に積層して形成され、無数の互に連通する空隙が存在し、透水性（通水性）となっている。
【００１２】
汚染物質浄化剤は、好気性微生物群（好気性バクテリア）を主成分とするものであり、汚染物質を分解し無害化するものである。これは粉体などの固形状でも、練状でも、液状でもよい。一例として好気性バクテリアを培養し、粉体としたもので、イーエーイーテック株式会社製の「ＳＵＰＥＲ−Ｋ」（商品名）を例示することができる。
この汚染物質浄化剤は、前記立体空隙構造体１の中空部３に収容する。例えば、粉体の汚染物質浄化剤を透水性の袋に容入し、これを立体空隙構造体１の中空部３に収容する。
【００１３】
立体空隙構造体１の複数は、図１に示すように河川Ｒの水中に設置され、この一部または全部の立体空隙構造体１に前記汚染物質浄化剤が収容される。本例では川底に杭４が打ち込まれ、立体空隙構造体１の複数がまとめられて該杭４に線条体５で固定されて設置され、これが複数群設けられている。この各群には、少なくとも１本の汚染物質浄化剤を収容した立体空隙構造体１が存在するのが好ましい。
この立体空隙構造体１の深さ方向の設置位置としては、水面、中間、底部およびこれらの併用のいずれでもよい。この深さ方向の設置位置あるいは立体空隙構造体１の設置する数、設置群の位置、その間隔等は、河川の幅、水深、底に堆積した汚泥やヘドロの量、その汚染度および水質の汚染度、等を考慮して決定する。
特に、河川、湖沼、海等に排水や支流が流入している場合には、この流入口の近傍に立体空隙構造体１を設置すると、流入する汚染水が拡大する前に浄化できるので好ましい。
なお、汚染物質浄化剤は、水中に設置する立体空隙構造体群の全てに収容しても、その一部に収容してもよく、これは任意である。
【００１４】
しかして、この実施の形態によれば、水中に設置した立体空隙構造体１の一部または全部には、中空部３に汚染物質浄化剤が収容されているので、この汚染物質浄化剤は水中に溶解し、その汚染物質浄化剤の主成分である好気性微生物群は、立体空隙構造体１、川底およびその周辺に定着・増殖する。水中に設置した立体空隙構造体１は、樹脂線状体２を絡み合せて中空部３を有する円柱状に積層して形成されており、無数の互に連通する空隙が存在し、透水性（通水性）であるので、河川Ｒの水は、設置した立体空隙構造体１中を通過して流れることになる。従って、汚染された河川Ｒの水は、溶解した汚染物質浄化剤、および立体空隙構造体１、川底、その周辺に定着・増殖した好気性微生物群に接触し、汚染物質が付着、補足されて分解され浄化される。この時、立体空隙構造体１は、樹脂線状体２を絡み合せて中空部３を有する円柱状に積層してなるので、好気性微生物群は、絡み合っている全ての樹脂線状体の表面に定着・増殖しているので、水との接触面積が広くなり効率的に浄化作用が行われる。
また、川底（湖底、海底も含む）に定着・増殖した好気性微生物群は川底に堆積した汚泥やヘドロも分解し浄化するので、これにより水質も浄化される。
【００１５】
なお、この実施の形態では、河川Ｒの浄化で説明しているが、これは湖沼、湾内等の浄化にも適用可能であり、この発明ではこれらの全てを包含する。
【００１６】
図４はこの発明の第２の実施の形態を示す説明斜視図である。本例は樹脂線状体２を絡み合せて中空部３を有する円柱状に積層した立体空隙構造体１を、水中に横に寝かせて設置したものと、垂直方向に立設して設置したものとを併用した場合であり、他は前記実施の形態と同様である。
【００１７】
図５はこの発明の第３の実施の形態を示す説明斜視図である。本例は樹脂線状体２を絡み合せて中空部３を有する円柱状に積層した立体空隙構造体１を、水中に垂直方向に立設して設置した場合であり、他は前記実施の形態と同様である。
これら第２の実施の形態および第３の実施の形態においても、前記第１の実施の形態と同様な作用、効果を奏する。
【００１８】
この水中に垂直方向に立設して設置する立体空隙構造体１としては、図６および図７に示すように樹脂線状体２を絡み合せて中空部３を有する円柱状に積層した立体空隙構造体１の下端に重り６を固着したものを使用すると、重り６で水中に沈下し底に固定できるので、他の固定手段が不要となり有効である。図６に示す重り６は円筒状であり、図７に示す重り６は円錐状であるが、この重りの形状は特に限定されない。また、重り６を設ける立体空隙構造体１の形状も、本例のような中空部３を有する円柱状に限定されるものではない。
【００１９】
図８はこの発明の第４の実施の形態を示す説明斜視図である。本例は水中にエアレーター（曝気装置）７を設置し、曝気を併用する点に特徴がある。すなわち、複数の立体空隙構造体１を水中に横に寝かせて設置し、この設置群の適所にエアレーター（曝気装置）７を設けたもので、他は前記実施の形態と同様である。このエアレーター７は、給気装置を内蔵したものでもよいし、図８に示すようにコンプレッサー８を設置し、これから給気するようにしてもよい。
この第４の実施の形態によれば、エアレーター７により曝気したり、水中に給気することができる。従って、前記第１の実施の形態と同様な効果に加えて、曝気により汚染ガスを分離して大気に放出できるし、水中の溶存酸素が不足しても酸素（空気）を供給し、微生物の活動を活発化することができるので、水質浄化の効果は一層向上する。
【００２０】
水中へのエアレーター７の設置位置は任意であるが、設置した立体空隙構造体１群の近傍か、図９に示すような設置した立体空隙構造体１の下方位置が、立体空隙構造体１に収容した汚染物質浄化剤の周辺に酸素を供給でき、微生物の活動を活発化できるので好ましい。また、エアレーター７は、継続的な作動でも、適当な間隔の作動でも、あるいは必要とするときだけの作動でもよく、水質の汚染度に応じて決定すればよい。
【００２１】
図１０はこの発明の第５の実施の形態を示す説明斜視図である。本例は下端に重り６を有する立体空隙構造体１の複数を水中に垂直方向に立設し、この群立する適所にエアレーター７を設置した場合であり、他は前記実施の形態と同様である。この第５の実施の形態においても、前記第４の実施の形態と同様な効果を奏する。
【００２２】
なお、前記実施の形態は、この発明を制限するものではなく、この発明は要旨を逸脱しない範囲で種々の変形が許容される。例えば、汚染物質浄化剤は、水中に設置した全ての立体空隙構造体１に収容する必要はなく、任意のものでもよい。汚染物質浄化剤を収容しない立体空隙構造体１にも、汚染物質浄化剤を収容した立体空隙構造体１の汚染物質浄化剤が溶解して定着し増殖するからである。また、この発明は水質浄化方法であるが、底に堆積した汚泥やヘドロを分解・浄化し、水質浄化する場合も包含するものである。また、立体空隙構造体１の形状も前記実施の形態に制限されるものではない。例えば、球形、円錐形および立方体等の形状を例示できる。
【００２３】
【発明の効果】
以上詳細に説明した通り、この発明の水質浄化方法によれば次のような効果を奏する。
（１）水中に設置した一部または全部の立体空隙構造体には、好気性微生物群を主成分とする汚染物質浄化剤が収容されているので、この汚染物質浄化剤が水中に溶解し、その微生物群は立体空隙構造体、底およびその周辺に定着・増殖する。従って、浄化作用は早期に開始されるし、好気性微生物群は、絡み合っている全ての樹脂線状体の表面に定着・増殖しているので、水との接触面積も広く、かつ、水底およびその周辺に定着・増殖している好気性微生物群と相俟って、効率よく浄化作用が行われる。しかも水底（川底、湖底、海底など）に定着・増殖した好気性微生物群は、水底に堆積した汚泥物やヘドロ等も分解し浄化するので、水質浄化は一層促進される。さらに、ヘドロの処理にも役立つ。
【００２４】
（２）立体空隙構造体は、樹脂線状体を絡み合せて所定形状に積層して形成するので安価に容易に製造でき、用意するのも容易であるし、軽量なので運搬および設置も容易である。
【００２５】
（３）この発明では酸素を供給して曝気したり、溶存酸素量を確保できるので、曝気して水中の汚染ガスを分離して大気に放出して水質浄化が図れると共に、水中での容存酸素量を確保し微生物群の活動を活発化することができる。従って、微生物群の活動との相乗効果で効率のよい浄化ができる。
【００２６】
（４）また、立体空隙構造体が重りを具備すると、重りで水中に沈下し底に固定できるので、他の固定手段が不要となる。
【図面の簡単な説明】
【図１】この発明の第１の実施の形態を示す説明斜視図である。
【図２】立体空隙構造体の実施の形態を示す斜視図である。
【図３】立体空隙構造体の拡大部分斜視図である。
【図４】この発明の第２の実施の形態を示す説明斜視図である。
【図５】この発明の第３の実施の形態を示す説明断面図である。
【図６】立体空隙構造体の他の実施の形態を示す斜視図である。
【図７】図６に示す立体空隙構造体の変形例を示す斜視図である。
【図８】この発明の第４の実施の形態を示す説明斜視図である。
【図９】第４の実施の形態の変形例を示す説明断面図である。
【図１０】この発明の第５の実施の形態を示す説明断面図である。
【符号の説明】
１　立体空隙構造体
２　樹脂線状体
３　中空部
４　杭
５　線条体
６　重り
７　エアレーター
８　ヘドロ
【図１】
2004136243.tif 000003
【図２】
2004136243.tif 000004
【図３】
2004136243.tif 000005
【図４】
2004136243.tif 000006
【図５】
2004136243.tif 000007
【図６】
2004136243.tif 000008
【図７】
2004136243.tif 000009
【図８】
2004136243.tif 000010
【図９】
2004136243.tif 000011
【図１０】
2004136243.tif 000012